(57)【要約】【課題】駆動ライン上の寄生容量の充電が共通ラインへの電圧印加期間が始まるまでに必ず完了するように設計された表示装置を提供する。【解決手段】複数の発光素子と、前記複数の発光素子に接続された複数の共通ラインおよび複数の駆動ラインと、タイミング信号を出力するソースドライバと、前記ソースドライバから出力されるタイミング信号に基づいて開閉し前記複数の共通ラインを所定の時間間隔をおいて時分割で電圧供給部に接続する複数の第１スイッチ部と、前記複数の駆動ラインを電圧供給部に接続する複数の第２スイッチ部と、を備えた表示装置であって、前記複数の第２スイッチ部は、前記ソースドライバから出力されるタイミング信号に基づいて開閉し、前記所定の時間間隔内において前記複数の駆動ラインを電圧供給部に接続する。【選択図】図１
2014215565.tif 000002
【特許請求の範囲】
【請求項１】
複数の発光素子と、前記複数の発光素子に接続された複数の共通ラインおよび複数の駆動ラインと、タイミング信号を出力するソースドライバと、前記ソースドライバから出力されるタイミング信号に基づいて開閉し前記複数の共通ラインを所定の時間間隔をおいて時分割で電圧供給部に接続する複数の第１スイッチ部と、前記複数の駆動ラインを電圧供給部に接続する複数の第２スイッチ部と、を備えた表示装置であって、
前記複数の第２スイッチ部は、前記ソースドライバから出力されるタイミング信号に基づいて開閉し、前記所定の時間間隔内において前記複数の駆動ラインを電圧供給部に接続することを特徴とする表示装置。
【請求項２】
前記複数の第２スイッチ部は、前記所定の時間間隔の終わりより早く開くことを特徴とする請求項１に記載の表示装置。
【発明の詳細な説明】
【技術分野】
【０００１】
本発明は、表示装置に関する。
【背景技術】
【０００２】
ダイナミック点灯制御方式の表示装置では、共通ラインへの電圧印加期間中に駆動ラインから電流を引き込むことにより、発光素子を点灯させる。ただし、駆動ラインから電流を引き込んでいない場合であっても、共通ラインから駆動ライン（寄生容量）へ電流がリークすると、発光素子は誤って点灯してしまう。そこで、従来、駆動ラインから電流を引き込んでいない期間内に駆動ライン上の寄生容量を充電する表示装置が提案された（非特許文献１参照）。
【先行技術文献】
【非特許文献】
【０００３】
【非特許文献１】"ＴＬＣ５９４４"、［ｏｎｌｉｎｅ］、０７  Ｊｕｌ  ２００９、Ｔｅｘａｓ  Ｉｎｓｔｒｕｍｅｎｔｓ  Ｉｎｃｏｒｐｏｒａｔｅｄ．、［平成２５年４月４日検索］、インターネット〈URL：http://www.ti.com/lit/ds/symlink/tlc5944.pdf〉
【発明の概要】
【発明が解決しようとする課題】
【０００４】
しかしながら、上記従来の表示装置では、駆動ライン上の寄生容量の充電が共通ラインへの電圧印加期間が始まるまでに必ず完了するように設計されていなかった。このため、上記従来の表示装置では、共通ラインへの電圧印加期間が始まっているにもかかわらず駆動ラインを介して電流を引き込めない場合があった。
【０００５】
そこで、本発明は、駆動ライン上の寄生容量の充電が共通ラインへの電圧印加期間が始まるまでに必ず完了するように設計された表示装置を提供することを目的とする。
【課題を解決するための手段】
【０００６】
本発明は、上記課題を次の手段により解決する。
【０００７】
本発明は、複数の発光素子と、前記複数の発光素子に接続された複数の共通ラインおよび複数の駆動ラインと、タイミング信号を出力するソースドライバと、前記ソースドライバから出力されるタイミング信号に基づいて開閉し前記複数の共通ラインを所定の時間間隔をおいて時分割で電圧供給部に接続する複数の第１スイッチ部と、前記複数の駆動ラインを電圧供給部に接続する複数の第２スイッチ部と、を備えた表示装置であって、前記複数の第２スイッチ部は、前記ソースドライバから出力されるタイミング信号に基づいて開閉し、前記所定の時間間隔内において前記複数の駆動ラインを電圧供給部に接続することを特徴とする表示装置である。
【図面の簡単な説明】
【０００８】
【図１】本発明の第１実施形態に係る表示装置の概略回路図である。
【図２】本発明の第１実施形態に係るタイミングチャートである。
【図３】本発明の第２実施形態に係る表示装置の概略回路図である。
【図４】本発明の第２実施形態に係るタイミングチャートである。
【図５】本発明の第３実施形態に係る表示装置の概略回路図である。
【図６】本発明の第３実施形態に係るタイミングチャートである。
【発明を実施するための形態】
【０００９】
以下に、添付した図面を参照しつつ、本発明を実施するための形態について説明する。
【００１０】
［第１実施形態］
図１は、本発明の第１実施形態に係る表示装置の概略回路図であり、図２は、本発明の第１実施形態に係るタイミングチャートである。
【００１１】
図１、２に示すように、本発明の第１実施形態に係る表示装置は、複数の発光素子（ＬＥＤ１〜４）と、複数の発光素子（ＬＥＤ１〜４）に接続された複数の共通ライン（ＣＯＭ１、ＣＯＭ２）および複数の駆動ライン（Ｓ１、Ｓ２）と、タイミング信号を出力するソースドライバと、ソースドライバから出力されるタイミング信号に基づいて開閉し複数の共通ライン（ＣＯＭ１、ＣＯＭ２）を所定の時間間隔Ｘをおいて時分割で電圧供給部に接続する複数の第１スイッチ部（ＳＷ１１、ＳＷ１２）と、複数の駆動ライン（Ｓ１、Ｓ２）を電圧供給部に接続する複数の第２スイッチ部（ＳＷ２１、ＳＷ２２）と、を備えた表示装置であって、複数の第２スイッチ部（ＳＷ２１、ＳＷ２２）は、ソースドライバから出力されるタイミング信号に基づいて開閉し、所定の時間間隔Ｘ内において複数の駆動ライン（Ｓ１、Ｓ２）を電圧供給部に接続する表示装置である。以下、順に説明する。
【００１２】
（複数の発光素子：ＬＥＤ１〜４）
複数の発光素子には、図１に示すように、例えば発光ダイオード（ＬＥＤ１〜４）を用いる。複数の発光素子（ＬＥＤ１〜４）は、複数の共通ライン（ＣＯＭ１、ＣＯＭ２）と複数の駆動ライン（Ｓ１、Ｓ２）とに接続される。
【００１３】
（共通ライン、駆動ライン：ＣＯＭ１、ＣＯＭ２、Ｓ１、Ｓ２）
共通ライン（ＣＯＭ１、ＣＯＭ２）や駆動ライン（Ｓ１、Ｓ２）には、例えば銅箔を用いる。
【００１４】
（ソースドライバ）
ソースドライバには、例えばＩＣチップを用いる。ソースドライバは、複数の第１スイッチ部（ＳＷ１１、ＳＷ１２）にタイミング信号をそれぞれ出力する。
【００１５】
（第１スイッチ部：ＳＷ１１、ＳＷ１２）
第１スイッチ部（ＳＷ１１、ＳＷ１２）には、例えばゲート電圧がＬレベルとなる期間（Ｌ期間）で閉じるｐチャネル型のＦＥＴ（Ｆｉｅｌｄ  Ｅｆｆｅｃｔ  Ｔｒａｎｓｉｓｔｏｒ：電界効果トランジスタ）を用いる。複数の第１スイッチ部（ＳＷ１１、ＳＷ１２）は、ソースドライバから出力されるタイミング信号に基づいて開閉し、複数の共通ライン（ＣＯＭ１、ＣＯＭ２）を所定の時間間隔Ｘをおいて時分割で電圧供給部に接続する。これにより、複数の共通ライン（ＣＯＭ１、ＣＯＭ２）に電圧が順次印加される。なお、図２中の「ＣＭ１」及び「ＣＭ２」は、第１スイッチ部（ＳＷ１１、ＳＷ１２）の入力信号（例：ＦＥＴのゲート信号）を示す。
【００１６】
（第２スイッチ部：ＳＷ２１、ＳＷ２２）
第２スイッチ部（ＳＷ２１、ＳＷ２２）には、例えばゲート電圧がＬレベルとなる期間（Ｌ期間）で閉じるｐチャネル型のＦＥＴを用いる。複数の第２スイッチ部（ＳＷ２１、ＳＷ２２）は、ソースドライバから出力されるタイミング信号が入力されたＮＡＮＤ回路の出力信号で開閉し、所定の時間間隔Ｘ内において複数の駆動ライン（Ｓ１、Ｓ２）を電圧供給部に接続する。これにより、複数の駆動ライン（Ｓ１、Ｓ２）上の寄生容量（Ｃ１、Ｃ２）が充電される。なお、図２中の「ＣＨＡＲＧＥ」は、第２スイッチ部（ＳＷ２１、ＳＷ２２）の入力信号（例：ＦＥＴのゲート信号）を示す。
【００１７】
（シンクドライバ）
シンクドライバには、例えばＩＣチップを用いる。シンクドライバは、駆動ライン（Ｓ１、Ｓ２）の全部または一部から電流を引き込む。これにより、電圧が印加されている共通ラインに接続されている発光素子のうち、電流が引き込まれた駆動ラインに接続されている発光素子が点灯する。
【００１８】
以上のとおり、本発明の第１実施形態に係る表示装置では、駆動ライン（Ｓ１、Ｓ２）上の寄生容量（Ｃ１、Ｃ２）がソースドライバから出力されるタイミング信号に基づいて充電される。このため、駆動ライン（Ｓ１、Ｓ２）上の寄生容量（Ｃ１、Ｃ２）の充電は、共通ライン（ＣＯＭ１、ＣＯＭ２）への電圧印加期間が始まるまでに必ず完了する。したがって、本発明の第１実施形態によれば、共通ライン（ＣＯＭ１、ＣＯＭ２）への電圧印加期間の始まりから終わりまでを駆動ライン（Ｓ１、Ｓ２）から電流を引き込むことができる期間として活用することが可能となるため、点灯時間を細かく設定して発光素子の明るさを微細に変えることにより、表示装置に豊かな表現力を持った表示を行わせることができる。
【００１９】
なお、第２スイッチ部（ＳＷ２１、ＳＷ２２）を上記ＦＥＴなどの素子により構成する場合は、第２スイッチ部（ＳＷ２１、ＳＷ２２）がタイミング信号から数ナノ秒程度遅れて開閉することがある。したがって、この場合、複数の駆動ライン（Ｓ１、Ｓ２）は、電圧供給部に、所定の時間間隔Ｘの始まりから数ナノ秒程度遅れて接続され、所定の時間間隔Ｘの終わりから数ナノ秒程度遅れて接続解除される。よって、数ナノ秒程度のスケールで考えると、駆動ライン（Ｓ１、Ｓ２）上の寄生容量（Ｃ１、Ｃ２）を充電する充電期間（の終わり）は、共通ライン（ＣＯＭ１、ＣＯＭ２）への電圧印加期間（の始まり）に対して数ナノ秒程度重なることとなる。
【００２０】
しかしながら、この程度の重なりは、本発明の第１実施形態に係る表示装置において特段の悪影響を及ぼさず誤差の範囲であるため、本発明の第１実施形態では、この程度の誤差がある場合であっても、所定の時間間隔Ｘ内において複数の駆動ライン（Ｓ１、Ｓ２）が電圧供給部に接続されているものと考える。
【００２１】
［第２実施形態］
図３は、本発明の第２実施形態に係る表示装置の概略回路図であり、図４は、本発明の第２実施形態に係るタイミングチャートである。
【００２２】
図３に示すように、本発明の第２実施形態に係る表示装置は、スイッチ制御部を備える点で、本発明の第１実施形態に係る表示装置と相違する。
【００２３】
図４に示すように、本発明の第２実施形態に係る表示装置では、スイッチ制御部が、ソースドライバから出力されたタイミング信号が入力されたＮＡＮＤ回路の出力信号を用いて、所定の時間間隔Ｘよりスイッチが閉じる期間が短くなる信号（例：第２スイッチ部に上記したｐチャネル型のＦＥＴを用いる場合は、第２スイッチ部が「Ｌ期間＝Ｘ-Ｙ」となるように動作する信号）を生成し、第２スイッチ部（ＳＷ２１、ＳＷ２２）に出力する。
【００２４】
本発明の第２実施形態に係る表示装置によれば、複数の第２スイッチ部（ＳＷ２１、ＳＷ２２）が所定の時間間隔Ｘの終わりより時間間隔Ｙだけ早く開くため、駆動ライン（Ｓ１、Ｓ２）上の寄生容量（Ｃ１、Ｃ２）を充電する充電期間（の終わり）は、共通ライン（ＣＯＭ１、ＣＯＭ２）への電圧印加期間（の始まり）に対して数ナノ秒程度ですらも重ならないようになり、両期間の間に時間間隔Ｙが確保される。
【００２５】
したがって、本発明の第２実施形態によれば、共通ライン（ＣＯＭ１、ＣＯＭ２）への電圧印加期間の始まりから終わりまでを駆動ライン（Ｓ１、Ｓ２）から電流を引き込むことができる期間としてより活用することが可能となるため、点灯時間をより細かく設定して発光素子の明るさをより微細に変えることにより、表示装置により豊かな表現力を持った表示を行わせることができる。
【００２６】
なお、本発明の第２実施形態において、スイッチ制御部には、例えばＦＰＧＡ（Ｆｉｅｌｄ  Ｐｒｏｇｒａｍｍａｂｌｅ  Ｇａｔｅ  Ａｒｒａｙ）を用いることができる。
【００２７】
［第３実施形態］
図５は、本発明の第３実施形態に係る表示装置の概略回路図であり、図６は、本発明の第３実施形態に係るタイミングチャートである。
【００２８】
図５に示すように、本発明の第３実施形態に係る表示装置は、スイッチ制御部がＮＯＴ回路とカウンターＩＣとＯＲ回路とを有する点で、本発明の第２実施形態に係る表示装置と相違する。
【００２９】
図６に示すように、本発明の第３実施形態に係る表示装置では、スイッチ制御部が、ソースドライバから出力されたタイミング信号が入力されたＮＡＮＤ回路の出力信号を用いて、所定の時間間隔Ｘよりスイッチが閉じる期間が短くなる信号（例：第２スイッチ部に上記したｐチャネル型のＦＥＴを用いる場合は、第２スイッチ部が「Ｌ期間＝Ｘ-Ｙ-Ｚ」となるように動作する信号）を生成し、第２スイッチ部（ＳＷ２１、ＳＷ２２）に出力する。
【００３０】
本発明の第３実施形態に係る表示装置によれば、複数の第２スイッチ部（ＳＷ２１、ＳＷ２２）が、所定の時間間隔Ｘの始まりから時間間隔Ｚだけ遅れて閉じるとともに、所定の時間間隔Ｘの終わりより時間間隔Ｙだけ早く開くため、駆動ライン（Ｓ１、Ｓ２）上の寄生容量（Ｃ１、Ｃ２）を充電する充電期間（の終わり）は、共通ライン（ＣＯＭ１、ＣＯＭ２）への電圧印加期間（の始まり）に対して数ナノ秒程度ですらも重ならないようになり、両期間の間に時間間隔Ｙが確保される。
【００３１】
したがって、本発明の第３実施形態によれば、共通ライン（ＣＯＭ１、ＣＯＭ２）への電圧印加期間の始まりから終わりまでを駆動ライン（Ｓ１、Ｓ２）から電流を引き込むことができる期間としてより活用することが可能となるため、点灯時間をより細かく設定して発光素子の明るさをより微細に変えることにより、表示装置により豊かな表現力を持った表示を行わせることができる。
【００３２】
なお、ソースドライバから出力されるタイミング信号に基づいて開閉する形態には、ソースドライバから出力されるタイミング信号が入力されたＮＡＮＤ回路の出力信号で開閉する形態や、ソースドライバから出力されるタイミング信号が入力されたＮＡＮＤ回路の出力信号を用いて生成された信号で開閉する形態のほか、ソースドライバから出力されるタイミング信号それ自体で開閉する形態や、ソースドライバから出力されるタイミング信号を用いて生成された信号で開閉する形態などの、タイミング信号に起因して開閉する様々な形態が含まれる。
【００３３】
以上、本発明の実施形態について説明したが、これらの説明は、本発明の一例に関するものであり、本発明は、これらの説明によって何ら限定されるものではない。一例を挙げると、例えば、共通ラインや駆動ラインの本数、発光素子の個数、第１スイッチ部や第２スイッチ部の個数などは、本発明を何ら限定するものではない。また、図１、３、５では、共通ラインと駆動ラインとが別々の電圧供給部に接続される形態を示したが、共通ラインと駆動ラインとは、同一の電圧供給部に接続されてもよい。
【符号の説明】
【００３４】
ＣＯＭ１、２      共通ライン
Ｓ１、２          駆動ライン
ＬＥＤ１〜４      発光素子
ＳＷ１１、１２    第１スイッチ部
ＳＷ２１、２２    第２スイッチ部
ＣＭ１、２        第１スイッチ部の入力信号
ＣＨＡＲＧＥ      第２スイッチ部の入力信号
Ｃ１、２          駆動ライン上の寄生容量
Ｘ                時間間隔
Ｙ                時間間隔
Ｚ                時間間隔
【図１】
2014215565.tif 000003
【図２】
2014215565.tif 000004
【図３】
2014215565.tif 000005
【図４】
2014215565.tif 000006
【図５】
2014215565.tif 000007
【図６】
2014215565.tif 000008